(57)【要約】【課題】  時間表示装置を具えた液体装飾装置の提供。【解決手段】  時間表示装置本体とメインケースが結合され、メインケース全体形状は伝統的な起き上がりこぼしの形状とされる。メインケースは少なくとも一つのサブケースと液体装飾ケースが結合されてなり、液体装飾ケースはサブケースの上方或いは下方或いはその他の位置に設けられる。本考案の特徴は、時間表示装置を具えた液体装飾装置全体が起き上がりこぼしの形状とされて揺動し、液体装飾装置が液体が揺れる状態を現出することにある。【選択図】        図１
0003105546.tif 000002
【実用新案登録請求の範囲】
【請求項１】
時間表示装置を具えた液体装飾装置において、
時間表示装置本体とメインケースを具え、該メインケースは底部を具え、該底部に滑らかな曲面があり、該メインケースは少なくとも一つのサブケースと液体装飾ケースが結合されてなり、該液体装飾ケースが閉じたケースとされて液体装飾ケース内に少なくとも一種類の液体と少なくとも一つの浮遊物が封入され、該メインケースが時間表示装置本体と結合され、且つ結合後に時間表示装置を具えた液体装飾装置の重心が下方に位置し、揺動可能で倒れないことを特徴とする、時間表示装置を具えた液体装飾装置。
【請求項２】
請求項１記載の時間表示装置を具えた液体装飾装置において、時間表示装置本体とメインケースのサブケースが結合されたことを特徴とする、時間表示装置を具えた液体装飾装置。
【請求項３】
請求項１記載の時間表示装置を具えた液体装飾装置において、サブケースが液体装飾ケースの下方に位置することを特徴とする、時間表示装置を具えた液体装飾装置。
【請求項４】
請求項１記載の時間表示装置を具えた液体装飾装置において、サブケースが液体装飾ケースの上方に位置することを特徴とする、時間表示装置を具えた液体装飾装置。
【請求項５】
請求項１記載の時間表示装置を具えた液体装飾装置において、メインケースの底部にウエイトブロックが設けられたことを特徴とする、時間表示装置を具えた液体装飾装置。
【請求項６】
請求項３記載の時間表示装置を具えた液体装飾装置において、液体装飾ケース内に少なくとも一つの浮遊物が設けられたことを特徴とする、時間表示装置を具えた液体装飾装置。
【請求項７】
請求項３記載の時間表示装置を具えた液体装飾装置において、メインケースの底部にウエイトブロックが設けられたことを特徴とする、時間表示装置を具えた液体装飾装置。
【請求項８】
請求項４記載の時間表示装置を具えた液体装飾装置において、メインケースの底部にウエイトブロックが設けられたことを特徴とする、時間表示装置を具えた液体装飾装置。
【考案の詳細な説明】
【技術分野】
【０００１】
本考案は一種の時間表示装置を具えた液体装飾装置に関する。該時間表示装置は、時計、アラーム装置、ストップウォッチ等とされる。
【背景技術】
【０００２】
時計と液体装飾装置を組み合わせた発明には、例えば特許文献１及び２があり、液体装飾装置で時計を装飾して外観を良くする効果を達成している。液体装飾装置は通常少なくとも一種類の液体（通常二種類の異なる色と異なる比重の液体が封入される）と少なくとも一つの浮遊物を具えている。
【０００３】
周知の技術に記載の揺動する時計は、時計の揺動時の動力により液体装飾装置を揺動させ、液体装飾装置に液体が揺れる特徴を現出させている。
【０００４】
【特許文献１】米国特許第５，２７２，６８１号明細書
【特許文献２】米国特許第５，１５９，５８３号明細書
【考案の開示】
【考案が解決しようとする課題】
【０００５】
本考案の主要な目的は、液体装飾装置と時計を結合させて、全体に趣味効果を具備させることにある。
【０００６】
本考案のもう一つの目的は、全体を起き上がりこぼしの形状とし、液体装飾装置に液体が揺れる状態を現出させ並びにそれにより浮遊物に連帯して揺動を発生させることにある。
【０００７】
本考案は、時間表示装置本体とメインケースを結合し、メインケース全体形状は伝統的な起き上がりこぼしの形状とし、即ち下方の体積を上方の体積より大きくして例えば卵形となす。メインケースは少なくとも一つのサブケースと液体装飾ケースを結合して形成し、液体装飾ケースはサブケースの上方或いは下方或いはその他の位置に設ける。本考案は、時間表示装置を具えた液体装飾装置全体を起き上がりこぼしの形状として倒れずに揺動可能としたことに特徴を有するものとし、このため必要時にはウエイトブロックを取り付ける。
【課題を解決するための手段】
【０００８】
請求項１の考案は、時間表示装置を具えた液体装飾装置において、
時間表示装置本体とメインケースを具え、該メインケースは底部を具え、該底部に滑らかな曲面があり、該メインケースは少なくとも一つのサブケースと液体装飾ケースが結合されてなり、該液体装飾ケースが閉じたケースとされて液体装飾ケース内に少なくとも一種類の液体と少なくとも一つの浮遊物が封入され、該メインケースが時間表示装置本体と結合され、且つ結合後に時間表示装置を具えた液体装飾装置の重心が下方に位置し、揺動可能で倒れないことを特徴とする、時間表示装置を具えた液体装飾装置としている。
請求項２の考案は、請求項１記載の時間表示装置を具えた液体装飾装置において、時間表示装置本体とメインケースのサブケースが結合されたことを特徴とする、時間表示装置を具えた液体装飾装置としている。
請求項３の考案は、請求項１記載の時間表示装置を具えた液体装飾装置において、サブケースが液体装飾ケースの下方に位置することを特徴とする、時間表示装置を具えた液体装飾装置としている。
請求項４の考案は、請求項１記載の時間表示装置を具えた液体装飾装置において、サブケースが液体装飾ケースの上方に位置することを特徴とする、時間表示装置を具えた液体装飾装置としている。
請求項５の考案は、請求項１記載の時間表示装置を具えた液体装飾装置において、メインケースの底部にウエイトブロックが設けられたことを特徴とする、時間表示装置を具えた液体装飾装置としている。
請求項６の考案は、請求項３記載の時間表示装置を具えた液体装飾装置において、液体装飾ケース内に少なくとも一つの浮遊物が設けられたことを特徴とする、時間表示装置を具えた液体装飾装置としている。
請求項７の考案は、請求項３記載の時間表示装置を具えた液体装飾装置において、メインケースの底部にウエイトブロックが設けられたことを特徴とする、時間表示装置を具えた液体装飾装置としている。
請求項８の考案は、請求項４記載の時間表示装置を具えた液体装飾装置において、メインケースの底部にウエイトブロックが設けられたことを特徴とする、時間表示装置を具えた液体装飾装置としている。
【考案の効果】
【０００９】
本考案は、液体装飾装置と時計を結合させて、全体に趣味効果を具備させた時間表示装置を具えた液体装飾装置を提供している。
【００１０】
本考案はまた、全体を起き上がりこぼしの形状とし、液体装飾装置に液体が揺れる状態を現出させ並びにそれにより浮遊物に連帯して揺動を発生させるようにした時間表示装置を具えた液体装飾装置を提供している。
【考案を実施するための最良の形態】
【００１１】
図１は本考案の第１実施例の表示図である。本考案の時間表示装置を具えた液体装飾装置１０は、時間表示装置本体２０とメインケース３０が結合され、当然、操作用の押しボタン２１（或いはスイッチ）が組み合わされている。時間表示装置本体２０は時計、タイマー、アラーム等とされ、本明細書及び図面は時計の実施例とされている。本考案は時間表示装置本体２０の改良ではなく、このため時間表示装置本体２０の構造については説明を省略する。且つ図中にはただ時間表示装置本体２０の表示装置の部分のみ表示しているが、他の部分は美観上の目的からメインケース３０内に設けられる。
【００１２】
メインケース３０は底部３１を具え、該底部は滑らかな曲面３２を有し、メインケース３０の全体形状は伝統的な起き上がりこぼしの形状とされ、即ち下方の体積が上方の体積より大きく、例えば卵形とされる。
【００１３】
メインケース３０は少なくとも一つのサブケース４０と液体装飾ケース５０が結合されてなり、本実施例では、液体装飾ケース５０はサブケース４０の上方に設けられ、時間表示装置本体２０とメインケース３０のサブケース４０が結合されている。このほかサブケース４０の底部に更にウエイトブロック７０が設けられ、時間表示装置を具えた液体装飾装置１０が揺動し倒れないものとされる。当然ウエイトブロック７０は必ずしも必要ではない。重量配置の状況に応じて、例えば時間表示装置本体２０と電池（図示せず）の設置位置が下方に配置される。
【００１４】
液体装飾ケース５０は閉じたケースとされ、且つ液体装飾ケース５０内に少なくとも一種類の液体と少なくとも一つの浮遊物が封入される。本実施例では、液体装飾ケース５０内に第１液体５１と第２液体５２及び浮遊物６０が封入され、そのうち第１液体５１の比重は第２液体５２より軽く、ゆえに第１液体５１が第２液体５２の上に位置し、二種類の液体の色は通常異なる色が採用され、好ましい設計においては、浮遊物６０の位置は第１液体５１と第２液体５２の間とされる。
【００１５】
図２は本考案の第２実施例の表示図である。この実施例と第１実施例との違いは、第２実施例では時間表示装置本体２０（時計）に機械式ムーブメントが採用され、液体装飾ケース５０と第１液体５１と第２液体５２の重量が十分であるため、ウエイトブロック７０が不要とされていることにある。
【００１６】
本考案の第３実施例ではウエイトブロック７０が図４に示されるように、浮遊物６０と組み合わされて岩礁の形状とされ並びに液体装飾ケース５０内の底部に接合されている。
【００１７】
図５に示される本考案の第４実施例では、液体装飾ケース５０がサブケース４０の上方或いは下方に位置せず、サブケース４０のその他の位置に設けられ、またウエイトブロック７０がサブケース４０の底部に設けられている。
【００１８】
総合すると、本考案はその目的、手段及び機能のいずれにおいても従来の技術の特徴とは異なっており、実用新案登録の要件を具備している。
【図面の簡単な説明】
【００１９】
【図１】本考案の第１実施例表示図である。
【図２】本考案の第２実施例表示図である。
【図３】本考案の第３実施例表示図である。
【図４】本考案の第４実施例表示図である。
【図５】本考案の第５実施例表示図である。
【符号の説明】
【００２０】
１０  時間表示装置を具えた液体装飾装置
２０  時間表示装置本体
２１  押しボタン
３０  メインケース
３１  底部
３２  曲面
４０  サブケース
７０  ウエイトブロック
５０  液体装飾ケース
５１  第１ケース
５２  第２ケース
６０  浮遊物
【図１】
0003105546.tif 000003
【図２】
0003105546.tif 000004
【図３】
0003105546.tif 000005
【図４】
0003105546.tif 000006
【図５】
0003105546.tif 000007